(57)【要約】【課題】小型の光源装置を提供する。【解決手段】本発明の光源装置は、光源と、第１の励起光を第１の蛍光に変換する第１波長変換部と、第２の励起光を第２の蛍光に変換する第２波長変換部と、第３の励起光を第３の蛍光に変換する第３波長変換部と、第１の蛍光と第２の蛍光と第３の蛍光とを合成する光合成部と、第１の励起光、第２の励起光および第３の励起光を時間順次に射出させる光源駆動部と、を備える。第１波長変換部と第２波長変換部と第３波長変換部とは、互いに並列に配置されている。各励起光は、各波長変換部の側面から各波長変換部に入射され、各蛍光は、各波長変換部の端面から射出される。【選択図】図２
2020042133.tif 000002
【特許請求の範囲】
【請求項１】
第１の励起光、第２の励起光および第３の励起光を射出する光源と、
前記第１の励起光を、前記第１の励起光の波長帯と異なる第１波長帯を有する第１の蛍光に変換する第１波長変換部と、
前記第２の励起光を、前記第２の励起光の波長帯および前記第１波長帯とは異なる第２波長帯を有する第２の蛍光に変換する第２波長変換部と、
前記第３の励起光を、前記第３の励起光の波長帯および前記第１波長帯とは異なる第３波長帯を有する第３の蛍光に変換する第３波長変換部と、
前記第１の蛍光と前記第２の蛍光と前記第３の蛍光とを合成し、合成光を射出する光合成部と、
前記第１の励起光、前記第２の励起光および前記第３の励起光を時間順次に射出させる光源駆動部と、
を備え、
前記第１波長変換部は、互いに対向する第１端面および第２端面と、前記第１端面および前記第２端面と交差する第１側面と、を有し、
前記第２波長変換部は、互いに対向する第３端面および第４端面と、前記第３端面および前記第４端面と交差する第２側面と、を有し、
前記第３波長変換部は、互いに対向する第５端面および第６端面と、前記第５端面および前記第６端面と交差する第３側面と、を有し、
前記第１波長変換部と前記第２波長変換部と前記第３波長変換部とは、互いに並列に配置され、
前記第１の励起光は、前記第１側面から前記第１波長変換部に入射され、前記第２の励起光は、前記第２側面から前記第２波長変換部に入射され、前記第３の励起光は、前記第３側面から前記第３波長変換部に入射され、
前記第１の蛍光は、前記第１端面から前記光合成部に向けて射出され、前記第２の蛍光は、前記第３端面から前記光合成部に向けて射出され、前記第３の蛍光は、前記第５端面から前記光合成部に向けて射出される、光源装置。
【請求項２】
前記第１波長帯が青色波長帯であり、前記第２波長帯が緑色波長帯であり、前記第３波長帯が赤色波長帯である、請求項１に記載の光源装置。
【請求項３】
前記第１波長帯が青色波長帯であり、前記第２波長帯が黄色波長帯であり、前記第３波長帯が黄色波長帯である、請求項１に記載の光源装置。
【請求項４】
前記第１波長帯が青色波長帯であり、前記第２波長帯が緑色波長帯であり、前記第３波長帯が黄色波長帯である、請求項１に記載の光源装置。
【請求項５】
前記光源は、前記第１の励起光を射出する第１発光素子と、前記第２の励起光を射出する第２発光素子と、前記第３の励起光を射出する第３発光素子と、を有し、
前記第１発光素子、前記第２発光素子および前記第３発光素子は、前記第１側面、前記第２側面および前記第３側面に対向する基板に設けられている、請求項１から請求項４までのいずれか一項に記載の光源装置。
【請求項６】
請求項１から請求項５までのいずれか一項に記載の光源装置と、
前記光源装置からの光を画像情報に応じて変調する光変調装置と、
前記光変調装置により変調された光を投射する投射光学装置と、を備えた、プロジェクター。
【発明の詳細な説明】
【技術分野】
【０００１】
本発明は、光源装置およびプロジェクターに関する。
【背景技術】
【０００２】
時分割色順次駆動方式（フィールドシーケンシャル方式）で駆動される光源装置を備えたプロジェクターが従来から知られている。下記の特許文献１には、赤色光を射出する第１光源と、緑色光を射出する第２光源と、青色光を射出する第３光源と、赤色光と緑色光と青色光とを合成する光路合成素子と、を有する光源装置を備えたプロジェクターが開示されている。このプロジェクターにおいて、第１光源、第２光源および第３光源は、発光ダイオード、半導体レーザー等の発光素子から構成され、フィールドシーケンシャル方式によって駆動される。
【先行技術文献】
【特許文献】
【０００３】
【特許文献１】特開２０１４−２１４２７号公報
【発明の概要】
【発明が解決しようとする課題】
【０００４】
特許文献１の光源装置において、光路合成素子は、ダイクロイックプリズムから構成され、第１光源、第２光源および第３光源は、ダイクロイックプリズムの３つの面に対向して配置されている。したがって、各光源の冷却手段を配置するため、もしくは各光源への電力供給用配線を引き回すための空間が必要となり、光源装置が大型化するという課題があった。
【０００５】
また、光源の発光色によって閾値電圧や駆動電圧等の仕様が異なるため、発光色によって異なる仕様の光源駆動回路を用意するか、全ての光源の仕様を共通に満足するオーバースペックの光源駆動回路を用意する必要があった。また、各光源が互いに離れた位置に配置されるため、各光源と駆動回路基板とを電気的に接続する配線が長くなる。そのため、配線抵抗が大きくなることで信号遅延が生じ、パルス幅変調等の高速の信号切り替え時に信号波形がなまる。これにより、表示品質が低下するという課題もあった。
【課題を解決するための手段】
【０００６】
上記の課題を解決するために、本発明の一つの態様の光源装置は、第１の励起光、第２の励起光および第３の励起光を射出する光源と、前記第１の励起光を、前記第１の励起光の波長帯と異なる第１波長帯を有する第１の蛍光に変換する第１波長変換部と、前記第２の励起光を、前記第２の励起光の波長帯および前記第１波長帯とは異なる第２波長帯を有する第２の蛍光に変換する第２波長変換部と、前記第３の励起光を、前記第３の励起光の波長帯および前記第１波長帯とは異なる第３波長帯を有する第３の蛍光に変換する第３波長変換部と、前記第１の蛍光と前記第２の蛍光と前記第３の蛍光とを合成し、合成光を射出する光合成部と、前記第１の励起光、前記第２の励起光および前記第３の励起光を時間順次に射出させる光源駆動部と、を備える。前記第１波長変換部は、互いに対向する第１端面および第２端面と、前記第１端面および前記第２端面と交差する第１側面と、を有する。前記第２波長変換部は、互いに対向する第３端面および第４端面と、前記第３端面および前記第４端面と交差する第２側面と、を有する。前記第３波長変換部は、互いに対向する第５端面および第６端面と、前記第５端面および前記第６端面と交差する第３側面と、を有する。前記第１波長変換部と前記第２波長変換部と前記第３波長変換部とは、互いに並列に配置されている。前記第１の励起光は、前記第１側面から前記第１波長変換部に入射され、前記第２の励起光は、前記第２側面から前記第２波長変換部に入射され、前記第３の励起光は、前記第３側面から前記第３波長変換部に入射される。前記第１の蛍光は、前記第１端面から前記光合成部に向けて射出され、前記第２の蛍光は、前記第３端面から前記光合成部に向けて射出され、前記第３の蛍光は、前記第５端面から前記光合成部に向けて射出される。
【０００７】
本発明の一つの態様の光源装置において、前記第１波長帯が青色波長帯であり、前記第２波長帯が緑色波長帯であり、前記第３波長帯が赤色波長帯であってもよい。
【０００８】
本発明の一つの態様の光源装置において、前記第１波長帯が青色波長帯であり、前記第２波長帯が黄色波長帯であり、前記第３波長帯が黄色波長帯であってもよい。
【０００９】
本発明の一つの態様の光源装置において、前記第１波長帯が青色波長帯であり、前記第２波長帯が緑色波長帯であり、前記第３波長帯が黄色波長帯であってもよい。
【００１０】
本発明の一つの態様の光源装置において、前記光源は、前記第１の励起光を射出する第１発光素子と、前記第２の励起光を射出する第２発光素子と、前記第３の励起光を射出する第３発光素子と、を有し、前記第１発光素子、前記第２発光素子および前記第３発光素子は、前記第１側面、前記第２側面および前記第３側面に対向する基板に設けられていてもよい。
【００１１】
本発明の一つの態様のプロジェクターは、本発明の一つの態様の光源装置と、前記光源装置からの光を画像情報に応じて変調する光変調装置と、前記光変調装置により変調された光を投射する投射光学装置と、を備える。
【図面の簡単な説明】
【００１２】
【図１】第１実施形態のプロジェクターの概略構成図である。
【図２】第１実施形態の光源装置の概略構成図である。
【図３】図２のIII−III線に沿う光源装置の断面図である。
【図４】各ＬＥＤに供給する駆動信号のタイミングチャートである。
【図５】第２実施形態のプロジェクターの概略構成図である。
【発明を実施するための形態】
【００１３】
［第１実施形態］
以下、本発明の第１実施形態について、図１〜図３を用いて説明する。
本実施形態のプロジェクターは、マイクロミラー型の光変調装置を備えたプロジェクターの一例である。
図１は、第１実施形態のプロジェクターの概略構成図である。
以下の各図面においては各構成要素を見やすくするため、構成要素によって寸法の縮尺を異ならせて示すことがある。
【００１４】
図１に示すように、本実施形態のプロジェクター１１は、光源装置１２と、インテグレーター光学系３１と、重畳光学系３３と、フィールドレンズ１０と、導光光学系１３と、マイクロミラー型の光変調装置１４と、投射光学装置１５と、を備えている。
【００１５】
本実施形態では、青色光、緑色光、および赤色光を時分割で射出する色順次駆動（カラーシーケンシャル）方式の光源装置１２が用いられる。光源装置１２の詳細な構成については、後述する。
【００１６】
インテグレーター光学系３１と重畳光学系３３とは、均一照明光学系を構成する。インテグレーター光学系３１は、第１レンズアレイ３１ａと、第２レンズアレイ３１ｂと、を有する。重畳光学系３３は、凸レンズから構成されている。均一照明光学系は、光源装置１２から射出された照明光の強度分布を、被照明領域である光変調装置１４において均一化する。重畳光学系３３から射出された照明光は、フィールドレンズ１０に入射する。
【００１７】
フィールドレンズ１０は、重畳光学系３３から射出された光の主光線を平行化する。フィールドレンズ１０は、凸レンズから構成されている。
【００１８】
導光光学系１３は、内部全反射プリズム（ＴＩＲプリズム）から構成されている。導光光学系１３は、光源装置１２から射出された赤色光ＬＲ、緑色光ＬＧ、および青色光ＬＢを順次透過させ、光変調装置１４に時分割で入射させるとともに、光変調装置１４から射出された画像光を全反射させ、投射光学装置１５に導く。
【００１９】
マイクロミラー型の光変調装置１４として、例えばＤＭＤ（Digital Micromirror Device）が用いられる。ＤＭＤは、複数のマイクロミラーがマトリクス状に配列された構成を有する。ＤＭＤは、複数のマイクロミラーの傾斜方向を切り換えることにより、入射光の反射方向を、投射光学装置１５に入射する方向と投射光学装置１５に入射しない方向との間で高速に切り替える。このように、光変調装置１４は、光源装置１２から射出された赤色光ＬＲ、緑色光ＬＧ、および青色光ＬＢを各色光の発光タイミングに合わせて変調し、緑色画像、赤色画像、および青色画像を順次生成する。
【００２０】
投射光学装置１５は、緑色画像、赤色画像、および青色画像をスクリーンに投射する。投射光学装置１５は、例えば複数の投射レンズにより構成されている。
【００２１】
以下、光源装置１２について説明する。
図２は、光源装置１２の概略構成図である。図３は、図２のIII−III線に沿う光源装置１２の断面図である。
【００２２】
図２に示すように、光源装置１２は、第１波長変換ロッド５１（第１波長変換部）と、第２波長変換ロッド５２（第２波長変換部）と、第３波長変換ロッド５３（第３波長変換部）と、光源３７と、光合成部３８と、角度変換素子５６と、コリメーターレンズ５７と、光源駆動部５８と、を備えている。
【００２３】
図２および図３に示すように、第１波長変換ロッド５１は、四角柱状の形状を有し、互いに対向する第１端面５１ａおよび第２端面５１ｂと、第１端面５１ａおよび第２端面５１ｂに交差する４つの側面５１ｃ１，５１ｃ２と、を有する。４つの側面５１ｃ１，５１ｃ２からなる側面の全体が、特許請求の範囲の第１側面に対応する。なお、図面を見やすくするため、４つの側面のうち、２つの側面５１ｃ１，５１ｃ２のみに符号を付す。
【００２４】
第２波長変換ロッド５２は、四角柱状の形状を有し、互いに対向する第３端面５２ａおよび第４端面５２ｂと、第３端面５２ａおよび第４端面５２ｂに交差する４つの側面５２ｃ１，５２ｃ２と、を有する。４つの側面５２ｃ１，５２ｃ２からなる側面の全体が、特許請求の範囲の第２側面に対応する。なお、図面を見やすくするため、４つの側面のうち、２つの側面５２ｃ１，５２ｃ２のみに符号を付す。第２波長変換ロッド５２の第３端面５２ａの中心と第４端面５２ｂの中心とを通る軸を光源装置１２の光軸Ｊ１と定義する。光源装置１２からの光は、光軸Ｊ１の方向に射出される。
【００２５】
第３波長変換ロッド５３は、四角柱状の形状を有し、互いに対向する第５端面５３ａおよび第６端面５３ｂと、第５端面５３ａおよび第６端面５３ｂに交差する４つの側面５３ｃ１，５３ｃ２と、を有する。４つの側面５３ｃ１，５３ｃ２からなる側面の全体が、特許請求の範囲の第３側面に対応する。なお、図面を見やすくするため、４つの側面のうち、２つの側面５３ｃ１，５３ｃ２のみに符号を付す。
【００２６】
本実施形態では、第１波長変換ロッド５１、第２波長変換ロッド５２および第３波長変換ロッド５３は、略同一の寸法を有している。第１波長変換ロッド５１の長手方向（第１端面５１ａの法線方向）の長さＡは、第１波長変換ロッド５１の幅方向（側面５１ｃ１の法線方向）の長さＢよりも長い。例えば長さＡは、長さＢの１０倍〜数１０倍程度である。第２波長変換ロッド５２および第３波長変換ロッド５３についても、第１波長変換ロッド５１と同様である。
【００２７】
なお、第１波長変換ロッド５１、第２波長変換ロッド５２および第３波長変換ロッド５３のそれぞれは、必ずしも四角柱状の形状を有していなくてもよく、三角柱などの他の多角柱状であってもよい。もしくは、第１波長変換ロッド５１、第２波長変換ロッド５２および第３波長変換ロッド５３のそれぞれは、円柱状であってもよい。各波長変換ロッドが円柱状である場合、各波長変換ロッドは、互いに対向する２つの端面と、２つの端面に交差する１つの側面と、を有する。
【００２８】
第１波長変換ロッド５１と第２波長変換ロッド５２とは、第１波長変換ロッド５１の側面５１ｃ１と第２波長変換ロッド５２の側面５２ｃ１とが対向する向きで、間隔をおいて配置されている。すなわち、第１波長変換ロッド５１の側面５１ｃ１と第２波長変換ロッド５２の側面５２ｃ１とは、空気層を介して互いに対向している。
【００２９】
第２波長変換ロッド５２と第３波長変換ロッド５３とは、第２波長変換ロッド５２の側面５２ｃ２と第３波長変換ロッド５３の側面５３ｃ１とが対向する向きで、間隔をおいて配置されている。すなわち、第２波長変換ロッド５２の側面５２ｃ２と第３波長変換ロッド５３の側面５３ｃ１とは、空気層を介して互いに対向している。すなわち、第１波長変換ロッド５１と第２波長変換ロッド５２と第３波長変換ロッド５３とは、互いに並列に配置されている。
【００３０】
なお、第１波長変換ロッド５１の側面５１ｃ１と第２波長変換ロッド５２の側面５２ｃ１との間には、空気層に代えて、例えばガラス等の透光性部材が設けられていてもよい。２本の波長変換ロッド５１，５２の間に空気層が設けられた場合、各波長変換ロッド５１，５２から射出される蛍光ＫＢ，ＫＧの角度分布を均一にしやすい、３本の波長変換ロッドのうち、中央に位置する第２波長変換ロッド５２の第２の蛍光ＫＧの伝搬効率を高められる、等の効果が得られる。また、２本の波長変換ロッド５１，５２の間に透光性部材が設けられた場合、３本の波長変換ロッドのうち、外側に位置する第１波長変換ロッド５１の第１端面５１ａから第１の蛍光ＫＢを取り出す効果を高められる。同様の理由により、第２波長変換ロッド５２の側面５２ｃ２と第３波長変換ロッド５３の側面５３ｃ１との間についても、空気層に代えて、例えばガラス等の透光性部材が設けられていてもよい。
【００３１】
以下、第１波長変換ロッド５１から光が射出される側の端面を第１端面５１ａと称し、第１端面５１ａとは反対側を向く端面を第２端面５１ｂと称する。また、第２波長変換ロッド５２から光が射出される側の端面を第３端面５２ａと称し、第３端面５２ａと反対側を向く端面を第４端面５２ｂと称する。また、第３波長変換ロッド５３から光が射出される側の端面を第５端面５３ａと称し、第５端面５３ａと反対側を向く端面を第６端面５３ｂと称する。
【００３２】
光源３７は、複数の発光ダイオード６１，６２，６３（ＬＥＤ）と、複数のＬＥＤ６１，６２，６３が実装された基板３７３と、を備えている。本実施形態において、光源３７は、６個ずつ３列に配列された１８個のＬＥＤ６１，６２，６３を備えているが、ＬＥＤの個数は特に限定されない。具体的には、光源３７は、第１の励起光を射出する第１ＬＥＤ６１（第１発光素子）と、第２の励起光を射出する第２ＬＥＤ６２（第２発光素子）と、第３の励起光を射出する第３ＬＥＤ６３（第３発光素子）と、各波長変換ロッド５１，５２，５３の側面に対向して設けられた基板３７３と、を備えている。
【００３３】
第１ＬＥＤ６１は、第１波長変換ロッド５１の側面に対向して設けられ、第１波長変換ロッド５１の側面に向けて第１の励起光を射出する。第２ＬＥＤ６２は、第２波長変換ロッド５２の側面に対向して設けられ、第２波長変換ロッド５２の側面に向けて第２の励起光を射出する。第３ＬＥＤ６３は、第３波長変換ロッド５３の側面に対向して設けられ、第３波長変換ロッド５３の側面に向けて第３の励起光を射出する。したがって、第１の励起光は、側面から第１波長変換ロッド５１に入射され、第２の励起光は、側面から第２波長変換ロッド５２に入射され、第３の励起光は、側面から第３波長変換ロッド５３に入射される。
【００３４】
図３に示すように、光源３７は、第２波長変換ロッド５２の４つの側面のうち、３つの波長変換ロッド５１，５２，５３の配列方向（紙面に垂直な方向）に平行な２つの側面５２ｃ３，５２ｃ４にそれぞれ対向して設けられている。２つの側面５２ｃ３，５２ｃ４にそれぞれ対向して設けられた光源３７は、互いに同一の構成を有している。
【００３５】
第１ＬＥＤ６１、第２ＬＥＤ６２および第３ＬＥＤ６３のそれぞれは、例えば２００ｎｍ〜３９５ｎｍ程度の紫外波長帯の励起光を射出するＬＥＤであってもよい。または、第１ＬＥＤ６１は、例えば２００ｎｍ〜３９５ｎｍ程度の紫外波長帯の励起光を射出するＬＥＤであり、第２ＬＥＤ６２および第３ＬＥＤ６３のそれぞれは、例えば４００ｎｍ〜４３５ｎｍ程度の紫色波長帯もしくは４３５ｎｍ〜４９５ｎｍ程度の青色波長帯の励起光を射出するＬＥＤであってもよい。なお、光源３７は、基板３７３とＬＥＤ６１，６２，６３の他、導光板、拡散板、レンズ等の他の光学部材を有していてもよい。
【００３６】
第１波長変換ロッド５１は、第１の励起光を第１波長帯の第１の蛍光ＫＢ（青色光ＬＢ）に変換する。第１波長帯は、例えば４５０〜４９５ｎｍの青色波長帯である。第１波長変換ロッド５１は、例えば希土類イオンをガラスに分散させた蛍光ガラス、ガラスや樹脂等のバインダーに青色蛍光体を分散させた材料などから構成されている。具体的には、蛍光ガラスとして、ルミラス（商品名、住田光学ガラス社製）等が用いられる。青色蛍光体として、例えばＢａＭｇＡｌ１０Ｏ１７：Ｅｕ（II）等が用いられる。第１の蛍光ＫＢは、第１波長変換ロッド５１の第１端面５１ａから光合成部３８に向けて射出される。
【００３７】
第２波長変換ロッド５２は、第２の励起光を第２波長帯の第２の蛍光ＫＧ（緑色光ＬＧ）に変換する。第２波長帯は、例えば５００〜５７０ｎｍの緑色波長帯である。第２波長変換ロッド５２は、緑色蛍光体として、例えばＬｕ３Ａｌ５Ｏ１２：Ｃｅ３＋系蛍光体、Ｙ３Ｏ４：Ｅｕ２＋系蛍光体、（Ｂａ，Ｓｒ）２ＳｉＯ４：Ｅｕ２＋系蛍光体、Ｂａ３Ｓｉ６Ｏ１２Ｎ２：Ｅｕ２＋系蛍光体、（Ｓｉ，Ａｌ）６（Ｏ，Ｎ）８：Ｅｕ２＋系蛍光体等の蛍光体材料を含んでいる。第２の蛍光ＫＧは、第２波長変換ロッド５２の第３端面５２ａから光合成部３８に向けて射出される。
【００３８】
第３波長変換ロッド５３は、第３の励起光を第３波長帯の第３の蛍光ＫＲ（赤色光ＬＲ）に変換する。第３波長帯は、例えば６００〜８００ｎｍの赤色波長帯である。第３波長変換ロッド５３は、赤色蛍光体として、例えば賦活剤としてＰｒ、Ｅｕ、Ｃｒのいずれかが分散された（Ｙ１−ｘ，Ｇｄｘ）３（Ａｌ，Ｇａ）５Ｏ１２からなるＹＡＧ系蛍光体（Ｐｒ：ＹＡＧ，Ｅｕ：ＹＡＧ，Ｃｒ：ＹＡＧのいずれか）を含んでいる。なお、賦活剤は、Ｐｒ、Ｅｕ、Ｃｒから選ばれる一種が含まれていてもよいし、Ｐｒ、Ｅｕ、Ｃｒから選ばれる複数種が含まれた共賦活の賦活剤であってもよい。第３の蛍光ＫＲは、第３波長変換ロッド５３の第５端面５３ａから光合成部３８に向けて射出される。
【００３９】
第１波長変換ロッド５１は、第１波長変換ロッド５１の第２端面５１ｂに設けられたミラー６５を有する。第２波長変換ロッド５２は、第２波長変換ロッド５２の第４端面５２ｂに設けられたミラー６５を有する。第３波長変換ロッド５３は、第３波長変換ロッド５３の第６端面５３ｂに設けられたミラー６５を有する。本実施形態では、第１波長変換ロッド５１、第２波長変換ロッド５２および第３波長変換ロッド５３の全てに共通のミラー６５が設けられているが、ミラー６５は、波長変換ロッド毎に個別に設けられていてもよい。ミラー６５は、各波長変換ロッド５１，５２，５３の端面に形成された金属膜や誘電体多層膜から構成されている。
【００４０】
光合成部３８は、第１プリズム４１と、第２プリズム４２と、ダイクロイックプリズム４３と、を備えている。光合成部３８は、第１の蛍光ＫＢと第２の蛍光ＫＧと第３の蛍光ＫＲとを合成し、合成光ＫＷを射出する。
【００４１】
第１プリズム４１は、直角二等辺三角形の断面を有する三角柱状プリズムから構成されている。第１プリズム４１は、光入射端面４１ａと、反射面４１ｆと、光射出端面４１ｂと、を有する。第１プリズム４１は、入射した第１の蛍光ＫＢの光路を９０°折り曲げて射出させる。
【００４２】
第１プリズム４１と同様に、第２プリズム４２は、直角二等辺三角形の断面を有する三角柱状プリズムから構成されている。第２プリズム４２は、光入射端面４２ａと、反射面４２ｆと、光射出端面４２ｂと、を有する。第２プリズム４２は、入射した第３の蛍光ＫＲの光路を９０°折り曲げて射出させる。なお、第１プリズム４１および第２プリズム４２の代替として、等価な機能を有する反射板を本実施形態に適用することも可能である。
【００４３】
第１プリズム４１は、第１波長変換ロッド５１の第１端面５１ａに設けられている。第１プリズム４１は、第１波長変換ロッド５１の第１端面５１ａから射出された第１の蛍光ＫＢ（青色光）を反射面４１ｆで反射させることにより光路を９０°曲げ、光射出端面４１ｂから射出させる。
【００４４】
第２プリズム４２は、第３波長変換ロッド５３の第５端面５３ａに設けられている。第２プリズム４２は、第３波長変換ロッド５３の第５端面５３ａから射出された第３の蛍光ＫＲ（赤色光）を反射面４２ｆで反射させることにより光路を９０°曲げ、光射出端面４２ｂから射出させる。
【００４５】
ダイクロイックプリズム４３は、第１プリズム４１の光射出端面４１ｂ、第２プリズム４２の光射出端面４２ｂ、および第２波長変換ロッド５２の第３端面５２ａに対向して設けられている。ダイクロイックプリズム４３は、互いに交差する第１ダイクロイックミラー４３ｍ１と第２ダイクロイックミラー４３ｍ２とを有する。第１ダイクロイックミラー４３ｍ１は、第１の蛍光ＫＢ（青色光）を反射させ、第２の蛍光ＫＧ（緑色光）および第３の蛍光ＫＲ（赤色光）を透過させる。第２ダイクロイックミラー４３ｍ２は、第３の蛍光ＫＲ（赤色光）を反射させ、第１の蛍光ＫＢ（青色光）および第２の蛍光ＫＧ（緑色光）を透過させる。これにより、ダイクロイックプリズム４３は、第１波長変換ロッド５１から射出された第１の蛍光ＫＢと、第２波長変換ロッド５２から射出された第２の蛍光ＫＧと、第３波長変換ロッド５３から射出された第３の蛍光ＫＲと、を合成し、合成光ＫＷを射出する。
【００４６】
角度変換素子５６は、ダイクロイックプリズム４３の光射出端面４３ｃの光射出側に設けられている。角度変換素子５６は、合成光ＫＷが入射する光入射端面５６ａと、合成光ＫＷが射出する光射出端面５６ｂと、光入射端面５６ａおよび光射出端面５６ｂに交差する側面５６ｃと、を有するテーパーロッドから構成されている。角度変換素子５６は、四角錐台状の形状を有し、光軸Ｊ１に垂直な断面積が合成光ＫＷの進行方向に沿って広がっており、光射出端面５６ｂの面積は光入射端面５６ａの面積よりも大きい。これにより、合成光ＫＷは、角度変換素子５６の内部を進行する間に、側面５６ｃで全反射する毎に光軸Ｊ１に平行な方向に角度を変える。このようにして、角度変換素子５６は、光射出端面５６ｂにおける合成光ＫＷの拡散角を光入射端面５６ａにおける合成光ＫＷの拡散角よりも小さくする。
【００４７】
角度変換素子５６は、光入射端面５６ａがダイクロイックプリズム４３の光射出端面４３ｃに対向するようにダイクロイックプリズム４３に固定されている。すなわち、角度変換素子５６とダイクロイックプリズム４３とは光学接着剤（図示略）を介して接触しており、角度変換素子５６とダイクロイックプリズム４３との間に空隙（空気層）は存在していない。なお、角度変換素子５６は、例えば任意の支持部材によってダイクロイックプリズム４３に直接接触するように固定されていてもよい。いずれにしても、角度変換素子５６とダイクロイックプリズム４３との間に空隙が存在しないことが望ましい。角度変換素子５６の屈折率とダイクロイックプリズム４３の屈折率とは、できるだけ一致させることが望ましい。
【００４８】
なお、角度変換素子５６として、テーパーロッドに代えて、複合放物面型集光器（Compound Parabolic Concentrator, ＣＰＣ）が用いられてもよい。角度変換素子５６としてＣＰＣを用いた場合も、テーパーロッドを用いた場合と同様の効果が得られる。
【００４９】
コリメーターレンズ５７は、角度変換素子５６の光射出端面５６ｂの光射出側に設けられている。コリメーターレンズ５７は、角度変換素子５６から射出された合成光ＫＷを平行化する。すなわち、角度変換素子５６によって角度分布が変換された合成光ＫＷの平行度は、コリメーターレンズ５７によってさらに高められる。コリメーターレンズ５７は、凸レンズで構成されている。なお、角度変換素子５６のみで十分な平行度が得られている場合、必ずしもコリメーターレンズ５７は設けられていなくてもよい。
【００５０】
光源駆動部５８は、第１ＬＥＤドライバー７１と、第２ＬＥＤドライバー７２と、第３ＬＥＤドライバー７３と、コントローラー７４と、を備えている。第１ＬＥＤドライバー７１は、第１ＬＥＤ６１を点灯させる電流を供給する。第２ＬＥＤドライバー７２は、第２ＬＥＤ６２を点灯させる電流を供給する。第３ＬＥＤドライバー７３は、第３ＬＥＤ６３を点灯させる電流を供給する。コントローラー７４は、光変調装置１４に供給される各色の画像信号のタイミングに合わせて、対応するＬＥＤドライバー７１，７２，７３に駆動信号を供給し、各ＬＥＤ６１，６２，６３の点灯／消灯を制御する。
【００５１】
光源駆動部５８においては、コントローラー７４からの駆動信号に応じて各ＬＥＤドライバー７１，７２，７３から各ＬＥＤ６１，６２，６３に対して電流が順次供給され、各ＬＥＤ６１，６２，６３が励起光を順次射出する。すなわち、光源駆動部５８は、第１の励起光、第２の励起光および第３の励起光を時間順次に射出させる。これにより、第１ＬＥＤ６１が第１の励起光を射出した期間において第１波長変換ロッド５１から第１の蛍光ＫＢ（青色光）が射出され、第２ＬＥＤ６２が第２の励起光を射出した期間において第２波長変換ロッド５２から第２の蛍光ＫＧ（緑色光）が射出され、第３ＬＥＤ６３が第３の励起光を射出した期間において第３波長変換ロッド５３から第３の蛍光ＫＲ（赤色光）が射出される。
【００５２】
図４は、各ＬＥＤ６１，６２，６３に供給する駆動信号のタイミングチャートの一例である。
図４において、最上段の波形は、光変調装置１４の１フレーム期間を示し、１フレーム期間を３つの期間に分割し、分割した各期間をそれぞれ第１ＬＥＤ６１の点灯期間、第２ＬＥＤ６２の点灯期間、第３ＬＥＤ６３の点灯期間としている。各ＬＥＤ６１，６２，６３の点灯時間は互いに異なっている。一例として、第１ＬＥＤ６１の点灯時間をｔ１とし、第２ＬＥＤ６２の点灯時間をｔ２とし、第３ＬＥＤ６３の点灯時間をｔ３とすると、点灯時間の比は、ｔ１：ｔ２：ｔ３＝１：７：２である。このような点灯時間の比によって白色の合成光ＫＷが得られる。
【００５３】
以下、上記構成の光源装置１２における光の振る舞いについて説明する。
第１ＬＥＤ６１の点灯期間において、第１ＬＥＤ６１から射出された第１の励起光が第１波長変換ロッド５１に入射すると、第１波長変換ロッド５１に含まれる青色蛍光体が励起され、第１の蛍光ＫＢ（青色光）が発せられる。第１の蛍光ＫＢは、側面で反射しつつ、第１端面５１ａもしくは第２端面５１ｂに向かって進む。第１端面５１ａに向かった第１の蛍光ＫＢは、第１プリズム４１に入射する。一方、第２端面５１ｂに向かった第１の蛍光ＫＢは、ミラー６５で反射して光路が折り返され、第１端面５１ａに向かって進む。
【００５４】
その後、第１波長変換ロッド５１から射出された第１の蛍光ＫＢは、第１プリズム４１の反射面４１ｆで反射して光路を曲げ、ダイクロイックプリズム４３に入射する。第１の蛍光ＫＢは、第１ダイクロイックミラー４３ｍ１で反射してダイクロイックプリズム４３から射出され、角度変換素子５６に入射される。
【００５５】
次に、第２ＬＥＤ６２の点灯期間において、第２ＬＥＤ６２から射出された第２の励起光が第２波長変換ロッド５２に入射すると、第２波長変換ロッド５２に含まれる緑色蛍光体が励起され、第２の蛍光ＫＧ（緑色光）が発せられる。第２の蛍光ＫＧは、側面で反射しつつ、第３端面５２ａもしくは第４端面５２ｂに向かって進む。第３端面５２ａに向かった第２の蛍光ＫＧは、ダイクロイックプリズム４３に入射する。一方、第４端面５２ｂに向かった第２の蛍光ＫＧは、ミラー６５で反射して光路が折り返され、第３端面５２ａに向かって進む。
【００５６】
その後、第２波長変換ロッド５２から射出された第２の蛍光ＫＧは、２つのダイクロイックミラー４３ｍ１，４３ｍ２を透過してダイクロイックプリズム４３から射出され、角度変換素子５６に入射される。
【００５７】
次に、第３ＬＥＤ６３の点灯期間において、第３ＬＥＤ６３から射出された第３の励起光が第３波長変換ロッド５３に入射すると、第３波長変換ロッド５３に含まれる赤色蛍光体が励起され、第３の蛍光ＫＲ（赤色光）が発せられる。第３の蛍光ＫＲは、側面で反射しつつ、第５端面５３ａもしくは第６端面５３ｂに向かって進む。第５端面５３ａに向かった第３の蛍光ＫＲは、第２プリズム４２に入射する。一方、第６端面５３ｂに向かった第３の蛍光ＫＲは、ミラー６５で反射して光路が折り返され、第５端面５３ａに向かって進む。
【００５８】
次に、第３波長変換ロッド５３から射出された第３の蛍光ＫＲは、第２プリズム４２の反射面４２ｆで反射して光路を曲げ、ダイクロイックプリズム４３に入射する。第３の蛍光ＫＲは、第２ダイクロイックミラー４３ｍ２で反射してダイクロイックプリズム４３から射出され、角度変換素子５６に入射される。
【００５９】
このように、ダイクロイックプリズム４３から射出された各蛍光ＫＢ，ＫＧ，ＫＲは、角度変換素子５６とコリメーターレンズ５７とによって平行化された後、光源装置１２から射出される。光源装置１２から射出された合成光ＫＷ（照明光ＷＬ）は、図１に示すように、インテグレーター光学系３１に向かって進む。
【００６０】
本実施形態の光源装置１２においては、第１波長変換ロッド５１と第２波長変換ロッド５２と第３波長変換ロッド５３とが互いに並列に配置されている。また、各波長変換ロッド５１，５２，５３の側面と対向する位置に励起光を射出する光源３７が設けられている。この構成により、本実施形態によれば、白色光を射出可能な小型の光源装置１２を実現することができる。
【００６１】
また、３つの波長変換ロッド５１，５２，５３が互いに並列に配置されているため、複数のＬＥＤ６１，６２，６３をアレイ状に配列し、全てのＬＥＤ６１，６２，６３を一つの基板３７３上に実装することができる。これにより、ＬＥＤ６１，６２，６３と基板３７３との小型化が図れることに加え、各ＬＥＤ６１，６２，６３に駆動電流を個別に供給するための配線を一つの基板上で作り分けるだけでよい。また、各ＬＥＤ６１，６２，６３に接続する配線を個別に引き回すためのスペースを削減できる、各ＬＥＤドライバー７１，７２，７３をまとめて配置できる、光源３７の冷却機構を簡略化できる、等の理由により、光源装置１２の全体の小型化を実現することができる。
【００６２】
また、光源駆動部５８と各ＬＥＤ６１，６２，６３とを接続する配線が短くて済むため、配線抵抗を小さく抑えることができる。そのため、パルス幅変調等の高速の信号切り替えを行う際の信号波形のなまりを抑制することができる。その結果、光源装置１２を備えたプロジェクター１１の表示品質を高めることができる。
【００６３】
また、本実施形態では、紫外光を射出する１種類のＬＥＤ、もしくは紫外光または青色光を射出する２種類のＬＥＤを準備するだけで光源装置１２が構成できる。そのため、各ＬＥＤドライバー７１，７２，７３として、仕様が類似した駆動回路を用いることができる。その結果、ＬＥＤドライバー７１，７２，７３に要するコストを削減することができる。
【００６４】
また、一般にＬＥＤから射出される光は、半導体レーザーから射出される光に比べて拡散角が大きい。そのため、ＬＥＤを用いた光源は、半導体レーザーを用いた光源に比べて、光源の発光面積と光源からの光の立体角との積で決まるエテンデューが大きくなる傾向にある。光源装置のエテンデューの増加は、光源装置より後段の光学系で取り込むことができない光を増加させ、プロジェクターとしての光利用効率の低下を引き起こす。そのため、プロジェクター用の光源装置として用いる場合、エテンデューは極力小さいことが望ましい。
【００６５】
その観点からすると、本実施形態の光源装置１２の場合、各ＬＥＤ６１，６２，６３から射出された拡散角の大きい光は、面積が広い側面から各波長変換ロッド５１，５２，５３にそれぞれ入射する。一方、各蛍光ＫＢ，ＫＧ，ＫＲは、各波長変換ロッド５１，５２，５３の側面に比べて面積が十分に狭い端面に相当する大きさのダイクロイックプリズム４３の光射出端面４３ｃから射出される。このように、本実施形態によれば、発光面積を実質的に縮小することができ、エテンデューの小さい光源装置１２を実現することができる。その結果、この光源装置１２をプロジェクター１１に用いることによって、光源装置１２の後段の光学系での光利用効率を高めることができる。
【００６６】
本実施形態の場合、青色の第１の蛍光ＫＢと緑色の第２の蛍光ＫＧと赤色の第３の蛍光とが高速に切り替えられて白色の合成光ＫＷが得られるため、各蛍光ＫＢ，ＫＧ，ＫＲの光量のバランスを調整することで合成光ＫＷのホワイトバランスを調整することができる。
【００６７】
具体的なホワイトバランスの調整方法として、各ＬＥＤ６１，６２，６３がパルス幅変調駆動されている場合、各ＬＥＤ６１，６２，６３に供給する駆動信号のパルス幅を調整することによりホワイトバランスを調整してもよい。もしくは、各ＬＥＤ６１，６２，６３に供給する駆動電流もしくは駆動電圧を調整することによりホワイトバランスを調整してもよい。もしくは、１フレーム内の各ＬＥＤ６１，６２，６３の点灯時間（デューティー）を調整することによりホワイトバランスを調整してもよい。
【００６８】
また、装置設計段階でのホワイトバランスの調整方法として、各波長変換ロッド５１，５２，５３の長さや幅を調整することによりホワイトバランスを調整してもよい。もしくは、各波長変換ロッド５１，５２，５３における蛍光体材料や発光原子の濃度を調整することによりホワイトバランスを調整してもよい。
【００６９】
本実施形態の光源装置１２においては、光合成部３８の光射出側に角度変換素子５６が設けられているため、光合成部３８から射出された合成光ＫＷを平行化することができる。さらに、角度変換素子５６の光射出側にコリメーターレンズ５７が設けられているため、合成光ＫＷの平行度をさらに高めることができる。これにより、光源装置１２の後段の光学系における光利用効率を高めることができる。
【００７０】
本実施形態の光源装置１２においては、第１波長変換ロッド５１の第２端面５１ｂ、第２波長変換ロッド５２の第４端面５２ｂ、および第３波長変換ロッド５３の第６端面５３ｂにミラー６５が設けられているため、各蛍光ＫＢ，ＫＧ，ＫＲが第２端面５１ｂまたは第４端面５２ｂまたは第６端面５３ｂの側から射出されることが抑えられる。これにより、各蛍光ＫＢ，ＫＧ，ＫＲの利用効率を高めることができる。
【００７１】
第１波長変換ロッド５１の側面５１ｃ１と第２波長変換ロッド５２の側面５２ｃ１との間、および第２波長変換ロッド５２の側面５２ｃ２と第３波長変換ロッド５３の側面５３ｃ１との間には、間隙（空気層）に代えて、例えば金属膜からなる反射膜が設けられていてもよい。ただし、２つの波長変換ロッド５１，５２，５３の間に反射膜を設けるよりも空気層を設けた方が反射面における光の損失が少ない。このため、光の損失を重視する場合は、空気層を設けることが好ましい。
【００７２】
すなわち、２つの波長変換ロッド５１，５２，５３の側面同士が空気層を介して互いに対向しているため、各波長変換ロッド５１，５２，５３の側面における光の反射は光損失を伴わない全反射となる。これにより、光利用効率を高めることができる。さらに、各波長変換ロッド５１，５２，５３の各側面は、凹凸が極力少なくなるように平滑に研磨されていることが望ましい。これにより、光損失をさらに抑えることができる。
【００７３】
本実施形態のプロジェクター１１は、上述した光源装置１２を備えているため、小型化が図れるとともに、光利用効率および画像品質に優れる。
【００７４】
なお、本実施形態における波長変換ロッド５１，５２，５３は、以下に示す変形例の構成を有していてもよい。以下の変形例の光源装置については、波長変換ロッドに含まれる蛍光体が上記実施形態と異なるのみであるため、光源装置の図示を省略する。
【００７５】
［第１変形例］
第１変形例の光源装置において、第１波長変換ロッドは、第１の励起光を、青色波長帯（第１波長帯）を有する第１の蛍光に変換する。第２波長変換ロッドは、第２の励起光を、黄色波長帯（第２波長帯）を有する第２の蛍光に変換する。第３波長変換ロッドは、第３の励起光を、黄色波長帯（第３波長帯）を有する第３の蛍光に変換する。すなわち、第１変形例において、第１波長帯は青色波長帯であり、第２波長帯は黄色波長帯であり、第３波長帯は黄色波長帯である。このように、第２波長帯と第３波長帯とが同じ色の波長帯であってもよい。
光源装置のその他の構成は、第１実施形態の光源装置と共通である。
【００７６】
第２波長変換ロッドおよび第３波長変換ロッドは、励起光を黄色波長帯の蛍光に波長変換するセラミック蛍光体（多結晶蛍光体）から構成されている。黄色波長帯は、例えば４９０〜７５０ｎｍである。また、多結晶蛍光体に代えて、単結晶蛍光体、蛍光ガラス、ガラスや樹脂等のバインダー中に蛍光体粒子が分散された材料が用いられてもよい。
【００７７】
具体的には、黄色波長帯の蛍光を発する蛍光体として、例えばイットリウム・アルミニウム・ガーネット（ＹＡＧ）系蛍光体が用いられる。賦活剤としてのセリウム（Ｃｅ）を含有するＹＡＧ：Ｃｅを例に挙げると、Ｙ２Ｏ３、Ａｌ２Ｏ３、ＣｅＯ３等の構成元素を含む原料粉末を混合して固相反応させた材料、共沈法、ゾルゲル法等の湿式法により得られるＹ−Ａｌ−Ｏアモルファス粒子、噴霧乾燥法、火炎熱分解法、熱プラズマ法等の気相法により得られるＹＡＧ粒子を用いることができる。
【００７８】
第１変形例において、第２波長変換ロッドから射出された黄色波長帯を有する第２の蛍光のうち、緑色波長帯に対応する成分がダイクロイックプリズムの２つのダイクロイックミラーを透過し、ダイクロイックプリズムから射出される。また、第３波長変換ロッドから射出された黄色波長帯を有する第３の蛍光のうち、赤色波長帯に対応する成分がダイクロイックミラーで反射し、ダイクロイックプリズムから射出される。したがって、本変形例の場合、第２の蛍光および第３の蛍光の波長帯（色）が第１実施形態と異なっていても、青色光、緑色光および赤色光が時分割で順次射出されることについては、第１実施形態と同様である。
【００７９】
第１変形例においても、白色光を射出する小型の光源装置を実現できるといった第１実施形態と同様の効果が得られる。
【００８０】
また、第１変形例に特有の効果として、以下の点が挙げられる。
現在の市販の蛍光体材料では、黄色光を射出する黄色蛍光体の変換効率は、赤色光を射出する赤色蛍光体の変換効率に比べて十分に高い。したがって、ダイクロイックプリズムによって黄色光のうちの緑色光成分または赤色光成分のみを分離したとしても、赤色蛍光体を用いた場合よりも効率が高い光源装置を実現できる。
【００８１】
また、青色蛍光体と黄色蛍光体の２種類のみを準備すればよいため、青色蛍光体、緑色蛍光体および赤色蛍光体の３種類を準備する必要がある上記実施形態に比べ、光源装置のコストを削減することができる。
【００８２】
［第２変形例］
第２変形例の光源装置において、第１波長変換ロッドは、第１の励起光を、青色波長帯（第１波長帯）を有する第１の蛍光に変換する。第２波長変換ロッドは、第２の励起光を、緑色波長帯（第２波長帯）を有する第２の蛍光に変換する。第３波長変換ロッドは、第３の励起光を、黄色波長帯（第３波長帯）を有する第３の蛍光に変換する。すなわち、本変形例において、第１波長帯は青色波長帯であり、第２波長帯は緑色波長帯であり、第３波長帯は黄色波長帯である。
光源装置のその他の構成は、第１実施形態の光源装置と共通である。
【００８３】
第２変形例においても、白色光を射出する小型の光源装置を実現できるといった第１実施形態と同様の効果が得られる。また、第３波長変換ロッドに含まれる蛍光体として、赤色蛍光体に代えて黄色蛍光体が用いられているため、高効率の光源装置を実現できるといった第１変形例と同様の効果が得られる。
【００８４】
［第２実施形態］
以下、本発明の第２実施形態について、図５を用いて説明する。
第１実施形態ではマイクロミラー型の光変調装置を備えたプロジェクターの例を挙げたが、第４実施形態では、液晶パネルを備えた液晶プロジェクターの一例を挙げて説明する。
図５は、第２実施形態のプロジェクターの概略構成図である。
【００８５】
図５に示すように、プロジェクター１６は、光源装置１２と、インテグレーター光学系３１と、偏光変換素子３２と、重畳光学系３３と、フィールドレンズ１０と、反射型偏光板１７と、光変調装置１８と、投射光学装置１５と、を備えている。
【００８６】
光源装置として、第１実施形態の光源装置１２が用いられている。したがって、ここでは、光源装置１２の説明を省略する。
【００８７】
インテグレーター光学系３１は、第１レンズアレイ３１ａと、第２レンズアレイ３１ｂと、を備えている。インテグレーター光学系３１と重畳光学系３３とは、均一照明光学系を構成し、光源装置１２から射出された照明光の強度分布を光変調装置１８において均一化する。偏光変換素子３２は、インテグレーター光学系３１から射出された照明光を反射型偏光板１７に対するＰ偏光に変換する。
【００８８】
光変調装置１８は、反射型液晶パネルで構成されている。光変調装置１８に反射型液晶パネルを用いることにより、液晶の応答速度が速くなり、光変調装置１８を時間順次駆動した際の動画表示性能を高めることができる。
【００８９】
反射型偏光板１７は、光源装置１２の光軸上においてフィールドレンズ１０と光変調装置１８との間に、光軸に対して４５°の角度をなすように配置されている。反射型偏光板１７は、反射型偏光板１７に対するＰ偏光を透過させ、Ｓ偏光を反射させる。これにより、フィールドレンズ１０から射出された照明光は反射型偏光板１７を透過して光変調装置１８に導かれ、光変調装置１８によって変調された画像光は投射光学装置１５に導かれる。
【００９０】
本実施形態のプロジェクター１６は、第１実施形態の光源装置１２を備えているため、小型化が図れるとともに、光利用効率および画像品質に優れる。
【００９１】
なお、本発明の技術範囲は上記実施形態に限定されるものではなく、本発明の趣旨を逸脱しない範囲において種々の変更を加えることが可能である。
例えば第１実施形態において、各波長変換ロッドの蛍光が射出される側の端面に、当該波長変換ロッドに入射する励起光を反射させ、当該波長変換ロッドで生成される蛍光を透過させるダイクロイックミラーが設けられていてもよい。この構成によれば、蛍光体の励起に用いられずに各波長変換ロッドから射出される励起光の量を減らし、各波長変換ロッドにおける波長変換効率を高めることができる。また、各波長変換ロッドの側面に、励起光を透過させ、蛍光を反射させるダイクロイックミラーが設けられていてもよい。
【００９２】
上記実施形態において、光合成部としてダイクロイックプリズムを用いる実施形態を提示したが、光の合成を行うことが可能な他の光学部材も適用可能である。例えば、内部に光散乱構造を持つ散乱体も光合成部として利用が可能である。散乱体の例としては、散乱粒子を包含するガラスや、異方性散乱層を含む光学部材などが挙げられる。散乱体が散乱異方性を有する場合、散乱体は、入射光を光射出端面に平行な方向よりも光射出端面に垂直な方向に強く散乱させる異方性を有することが望ましい。
【００９３】
また、光源装置を構成する各構成要素の形状、数、配置、材料等の具体的な構成については、上記実施形態に限定されることなく、適宜変更が可能である。
【００９４】
上記実施形態では、本発明による光源装置をプロジェクターに搭載した例を示したが、これに限定されない。本発明による光源装置は、照明器具や自動車のヘッドライト等にも適用することができる。
【符号の説明】
【００９５】
１１，１６…プロジェクター、１２…光源装置、１４，１８…光変調装置、１５…投射光学装置、３７…光源、３８…光合成部、５１…第１波長変換ロッド（第１波長変換部）、５１ａ…第１端面、５１ｂ…第２端面、５２…第２波長変換ロッド（第２波長変換部）、５２ａ…第３端面、５２ｂ…第４端面、５３…第３波長変換ロッド（第３波長変換部）、５３ａ…第５端面、５３ｂ…第６端面、５８…光源駆動部、６１…第１ＬＥＤ（第１発光素子）、６２…第２ＬＥＤ（第２発光素子）、６３…第３ＬＥＤ（第３発光素子）、ＫＢ…第１の蛍光、ＫＧ…第２の蛍光、ＫＲ…第３の蛍光。
【図１】
2020042133.tif 000003
【図２】
2020042133.tif 000004
【図３】
2020042133.tif 000005
【図４】
2020042133.tif 000006
【図５】
2020042133.tif 000007